(57)【要約】  【課題】設置後の換気孔の位置、換気面積、換気ファンの取付け位置、ファンの個数などの変更に適宜に対応でき、さらに、扉の外観、意匠などの変更にも対応できる。  【解決手段】  パネル本体に縦枠材２と横枠材３により多数の格子枠部４を形成して、各格子枠部４に格子枠部内を閉塞する格子枠用小パネル５を着脱可能に取り付ける。また、格子枠用小パネル５は、必要に応じて不透明パネル５２や透明パネルなどと任意に入れ替え可能である。  【選択図】  図３
2005159281.tif 000002
【特許請求の範囲】
【請求項１】
パネル本体に縦枠材と横枠材により多数の格子枠部を形成して、各格子枠部に格子枠部内を閉塞する格子枠用小パネルを着脱可能に取り付けたことを特徴とする電気電子機器収納用箱のパネル構造。
【請求項２】
パネル本体を四周枠材よりなるものとして、該四周枠材に縦枠材と横枠材とを架け渡し、その交差部分において相互に拘束して、それら枠材によって縦横、複数列の格子枠部を多数形成した請求項１に記載の電気電子機器収納用箱のパネル構造。
【請求項３】
格子枠部内を閉塞する格子枠用小パネルが、板面に換気孔を設けた換気パネル、板面が不透明である不透明パネル、板面が透明である透明パネルの何れか１種または２種以上の組み合わせである請求項１または２に記載の電気電子機器収納用箱のパネル構造。
【請求項４】
格子枠用小パネルが換気孔を設けた換気パネルであって、その背面に換気ファンを取り付け可能としたものである請求項３に記載の電気電子機器収納用箱のパネル構造。
【請求項５】
格子枠部を形成する枠材の内部を配線収納部とした請求項１から４のいずれかに記載の電気電子機器収納用箱のパネル構造。
【請求項６】
格子枠用小パネルを小四周枠材と該小四周枠材の内側段部に嵌合する小パネル材よりなるものとして、前記小四周枠材の内側段部に嵌合した該小パネル材を係止する係止部を小四周枠材が格子枠部に係合する取付用係止突起との対向位置に設けた請求項１から５のいずれかに記載の電気電子機器収納用箱のパネル構造。
【発明の詳細な説明】
【技術分野】
【０００１】
本発明は、電気電子機器収納用箱の扉や側板に使用するパネル構造に関するものであって、特に、換気機能や意匠を変更可能とした電気電子機器収納用箱のパネル構造に関する。
【背景技術】
【０００２】
従来、内部に発熱機器を納めた電気電子機器収納用箱における放熱対策として、扉板や側板に、多数のスリット孔またはパンチングメタル状に換気孔を設けて自然換気を行う方法、あるいはそれらの換気孔を設けた板材の内側に換気ファンを配置して強制換気する方法などが採用されていた。（特許文献１参照）
【０００３】
ところが、これらは扉板や側板の板材に予め換気孔を設けるものであるから、換気孔の位置、換気面積、換気ファンの取り付け位置、ファンの個数などを予め定めておき、板材に機械加工を行う必要があった。従って、後からそれらの条件・仕様を変更する場合には、扉や側板を取外して追加加工を行うか、扉、側板自体を交換する必要があるなど不都合があった。
【特許文献１】特開２０００−２２３８７４号公報：特許請求の範囲、段落（０００５）、図１、２の記載
【発明の開示】
【発明が解決しようとする課題】
【０００４】
本発明は、上記の問題点を解決するためになされたものであり、設置後の換気孔の位置、換気面積、換気ファンの取り付け位置、ファンの個数などの変更に適宜に対応でき、さらに、扉や側板の外観、意匠などの変更にも対応できる電気電子機器収納用箱のパネル構造を提供する。
【課題を解決するための手段】
【０００５】
上記の問題は、パネル本体に多数の格子枠部を形成して、各格子枠部に格子枠部内を閉塞する格子枠用小パネルを着脱可能に取り付けたことを特徴とする電気電子機器収納用箱のパネル構造によって、解決することができる。
また、本発明は、パネル本体を四周枠材よりなるものとして、該四周枠材に縦枠材と横枠材とを架け渡し、その交差部分において相互に拘束して、それら枠材によって縦横、複数列の格子枠部を多数形成した形態の電気電子機器収納用箱のパネル構造により具体化できる。
【０００６】
さらに、前記した本発明は、多数の格子枠部に着脱可能に取り付ける格子枠用小パネルが、板面に換気孔を設けた換気パネル、板面が不透明である不透明パネル、板面が透明である透明パネルの何れか１種または２種以上の組み合わせである形態、さらには、前記格子枠用小パネルが換気孔を設けた換気パネルであって、その背面に換気ファンを取り付け可能としたものである形態に具体化される。そして、これらにおいて、格子枠部を形成する枠材の内部を配線収納部としてもよい。また、格子枠用小パネルを小四周枠材と該小四周枠材の内側段部に嵌合する小パネル材よりなるものとして、前記小四周枠材の内側段部に嵌合した該小パネル材を係止する係止部を小四周枠材が格子枠部に係合する取付用係止突起との対向位置に設けたものとすることができる。
【発明の効果】
【０００７】
本発明の電気電子機器収納用箱のパネル構造は、パネル本体に多数の格子枠部を設け、この格子枠部には、換気パネル、不透明パネル、透明パネルなどの格子枠用小パネルを適宜に取り付け、取り外しできる。従って、設置後の換気孔の位置、換気面積などの増減変更や扉の外観、意匠などの変更に際して、扉や側板を外して機械加工を行なったり、交換する必要がなく、格子枠用小パネルの交換だけで簡単に行なうことができる。
【０００８】
また、適宜な位置に換気ファンを取り付けた換気パネルを配置することができるから、換気の必要性に応じて、換気ファンの取り付け位置、ファンの個数なども自由に設定できる。さらに、格子枠部を形成する枠材の内部を配線収納部とすれば、換気ファン用の配線を簡単に、体裁よく収納できるものである。また、格子枠用小パネルを小四周枠材と該小四周枠材の内側段部に嵌合する小パネル材よりなるものとして、前記小四周枠材の内側段部に嵌合した該小パネル材を係止する係止部を小四周枠材が格子枠部に係合する取付用係止突起との対向位置に設けたものとすると、同一の小四周枠材を多数製作してこれに種々の小パネル材を組み込むことにより換気パネル、不透明パネル、透明パネルなど種々の格子枠用小パネルを安価に提供できる。かくして、本発明によれば、格子枠部空間に着脱する格子枠用小パネルによっていろいろな状況に対応できるという優れた効果がある。よって本発明は、従来の問題点を解消した電気電子機器収納用箱のパネル構造としてきわめて優れたものがある。
【発明を実施するための最良の形態】
【０００９】
次に、本発明の電気電子機器収納用箱のパネル構造に係る実施形態について、図面を参照しながら説明する。
先ず、図１〜図８に示す第１の実施形態について説明する。
図１はフレーム枠（Ａ）の四方の開口に扉（Ｂ）や側板（Ｃ）を取り付けてなる電気電子機器収納用箱を扉（Ｂ）を開けた状態で一枚の側板（Ｃ）を外した斜視図である。この電気電子機器収納用箱の扉（Ｂ）であるパネル構造は、上下枠部１１、１１と左右の側枠部１２、１２よりなる四周枠材１をパネル本体としたものであり、該パネル本体である四周枠材１に縦枠材２を縦方向に架け渡すとともに、横枠材３を横方向に架け渡し、それら枠材によって縦横、複数列の格子枠部４、４、…を形成している（図２参照）。この格子枠部４のサイズは、それぞれを同一サイズに設定しておくと、後記の格子枠用小パネル５の交換が容易になる利点が得られる。
【００１０】
そして、図３では、これらの格子枠部４、４、…のそれぞれには、格子枠用小パネル５としての板面に換気孔を設けた換気パネル５１が着脱可能に取り付けられている。また、図４に示すものは、板面が不透明である不透明パネル５２と前記換気パネル５１が並列して取り付けられている。この場合、格子枠用小パネル５は、必要に応じて板面が透明である透明パネルなどと任意に入れ替え可能である。また、各格子枠用小パネル５を着脱可能とするには、格子枠用小パネル４の裏面に複数の取付用係止突起５ａ（図７、図８参照）を設け、取り付けられたときにその先端部分が前記枠材に弾性的に係止するよう形成している。
【００１１】
また、図２では、四周枠材１、縦枠材２、横枠材３とによって、格子枠用小パネルが取り付け可能な格子枠部４を形成しているが、本発明はこの態様に限定されず、要は、格子枠用小パネルを着脱可能に取り付けられるような格子枠部４を扉（Ｂ）に設けることにより、その目的が達せられるのであるから、パネル本体全体を四周枠材１とすることなく、一部を四周枠材に形成して縦枠材２、横枠材３を架け渡して格子枠部４を形成してもよい。
【００１２】
本発明における、四周枠材１、縦枠材２、横枠材３およびそれらによって形成される縦横、複数列の格子枠部４、４、…の組合せを図５（裏側から見た図）に示す。
このような構造体を形成するには、先ず、図２に示すように、適宜な金属製の四周枠材１を準備し、所定の間隔に、縦枠材２を縦方向に架け渡して両端を四周枠材１の上下枠部１１、１１にねじ止めする。
【００１３】
次いで、図６に示すような背面板部３１の上下縁前方に上下板部３２、３３を連設した断面コ字型の横枠材３を横方向に架け渡すのであるが、この場合、横枠材３の上下板部３２、３３の先端側から間隔を空けて設けた凹部３４の側面に突設した小突起３４ａを縦枠材２に設けた小孔２ａに一致する高さに合わせてから、横方向にスライドさせて、横枠材３の一端を四周枠材１の一方の側枠部１２に引掛けるとともに、前記小突起３４ａを前記小孔２ａに嵌め合わせてから、他端を四周枠材１の他方の側枠部１２にねじ止めする。
【００１４】
かくして、各枠材の交差部分において相互に拘束することにより、図２、図５に示すように、四周枠材１、縦枠材２、横枠材３を強固に組み合わせることができるから、扉面の反り歪などを防止できる。また、それと同時に、それら枠材の組合せによって、前記した各種の格子枠用小パネル５を取り付け可能な格子枠部４を縦横、複数列に形成するのである。
【００１５】
次に、換気パネル５１の他の形態を示す。それは、図７に例示するように、換気パネル５１の背面に換気ファン６を取り付け、その換気パネル５１を格子枠部４に取り付け配列したものである。この目的のため、図８に示すように換気パネル５１には換気ファン６の取付用ねじ孔を設けた取付け部５１ｂを必要個数、準備しておくのことにより図７に示すように換気ファン６を取り付けできるものである。
なお、この換気パネル５１自体は、背面外周部に立設した４個の取付用係止突起５ａの先端を枠材のうち縦枠材２の背面に弾性的に係止させて取り付けられている。従って、この取付用係止突起５ａを押し戻すことによって、換気パネル５１を格子枠部４から簡単に取り外すことができる。
【００１６】
次に、図９〜図２３に示す第２の実施形態について説明する。
この第２の実施形態は図９に示すように前記第１の実施形態と同様に扉（Ｂ）としてのパネル構造であるが、図１０〜図１２に示すように格子枠部４を形成する枠材の内部を配線収納部７としたことと、図１３〜図１６に示すように格子枠用小パネル５を小四周枠材５５と該小四周枠材５５の内側段部５５ａに嵌合自在とした小パネル材５６よりなるものとして、前記小四周枠材５５の内側段部５５ａに嵌合した該小パネル材５６を係止する係止部５７を小四周枠材５５が格子枠部４の枠材に係合する取付用係止突起５ａとの対向位置に一体に設けたことが前記第１の実施形態と主に相違するものである。
【００１７】
すなわち、図９に示した格子枠部４を形成する四周枠材１、縦枠材２、横枠材３のうち横枠材３は、図１０及び図１１に示すように、前板部３０の上下縁後方に上下板部３２、３３を連設したうえ該下板部３３を上板部３２より広幅として後端上方に向けて垂直短板部３１を連設した断面Ｇ字としたもので、該垂直短板部３１の内面と下板部３３の内面との間に形成される鉤状の樋部をもって配線収納部７を形成している。これにより、図１２に示すように換気ファン６の配線６ａが格子枠部４から露出することがなく簡単に体裁よく収納できるものである。なお、配線収納部７は前記したように枠材のうち横枠材３の垂直短板部３１の内面と下板部３３の内面とにより形成しているが、縦枠材２に形成してもよい。
【００１８】
また、図１３〜図１６に示すように格子枠用小パネル５を小四周枠材５５と該小四周枠材５５の内側段部５５ａに嵌合する小パネル材５６よりなるものとしているので、同一の小四周枠材５５を多数製作してこれに換気孔付板材、不透明板材、透明板材等の種々の小パネル材５６を組み込むことにより換気パネル、不透明パネル、透明パネルなど種々の格子枠用小パネル５を安価に提供できる。この場合に、前記小四周枠材５５の内側段部５５ａに嵌合した該小パネル材５６を係止する係止部５７を小四周枠材５５が格子枠部４に係合する取付用係止突起５ａとの対向位置に一体に設けたものとすると、図１５に示すように取付用係止突起５ａを小四周枠材５５の外側に倒すことにより係止部５７が引き起こされて小パネル材５６の係合をとくので該小パネル材５６を取り外して他の種類の小パネル材と交換できるものである。また、係止部５７の外面側を内向き傾斜面５７ａに形成させたものとすれば小四周枠材５５に小パネル材５６を組み込む際に、小パネル材５６の一組の対向する一方の端部を係止部５７に係合させたうえ他方の端部の内面を係止部５７の傾斜面５７ａに沿わせて押し込めば係止部５７は外側に開き小パネル材５６を自動的に係止して小四周枠材５５の内側段部５５ａに嵌合することができる。
【００１９】
さらに、この第２の実施形態にあっては、図１７、図１８に示すように横枠材３は上下板部３２、３３の一側端に四周枠材１の一方の側枠部１２の内側面に設けた係止孔１２ａに嵌合する係止突起３２ａ、３３ａを設け、また、図１０に示すように横枠材３の背面側に位置する垂直短板部３１の他端側に連設した延長板部３１ａを他方の側枠部１２の背面部に当接する構成としたうえ、横枠材３の前面側から縦枠材２が嵌合する凹部３４を縦枠材２の数及び間隔に対応させて設けたものとする。そして、図１９、図２０に示すように横枠材３に設けた前記凹部３４をその幅寸法を縦枠材１の幅より係止突起３２ａ、３３ａの長さ分（Ｉ）該係止突起側を幅広部（Ｉ）とするとともに、これと対向側を該対向側に突設した係止片３４ａの長さ分（ｉ）幅広に形成した前方側凹欠部３４−１と幅広部（Ｉ）が形成されていない後方側凹欠部３４−２とよりなる前後２段の構成としている。
【００２０】
そして、このような構成においては、先ず、横枠材３の凹部３４の側面に突設した小突起３４ａを縦枠材２に設けた小孔２ａに一致する高さに合わせたうえ、該横枠材３の前面側から設けた前記凹部３４の前方側凹欠部３４−１を四周枠材１の一方の側枠部１２の縦枠材２の側面に係止突起３２ａ、３３ａ側の内面を沿わせて遊嵌すれば、横枠材３は上下板部３２、３３の一側端に設けた係止突起３２ａ、３３ａの先端が四周枠部１の一方の側枠部１２の内側面に設けた係止孔１２ａに臨む位置となるとともに、係止片３４ａの先端が縦枠材２に設けた小孔２ａに臨む位置となる。その後に横枠材３を四周枠部１の一方の側枠部１２側にスライドさせれば、係止突起３２ａ、３３ａは係止孔１２ａに係止片３４ａは縦枠材２に設けた小孔２ａにそれぞれ嵌合することとなるとともに、縦枠材２は凹部３４の後方側凹欠部３４−２の前方に位置する。そこで、図示の実施形態では図２１に示すように係止突起３２ａの前端と係止孔１２ａの前縁との間に、また、係止片３４ａの後端と小孔２ａの後縁との間に間隙ｓが形成される構成としているので、横枠材１３をさらに押し込んで縦枠材２の後端を後方側凹欠部３４−２に嵌合する。続いて、横枠材３の垂直短板部３１の他端側に連設した延長板部３１ａを他方の側枠部１２の背面部に当接してねじ止めすれば、横枠材３を縦枠材２との交差部の組込みは該縦枠材２の後端が幅寸法の狭い後方側凹欠部３４−２に嵌合されたうえ四周枠材１１の側枠部１２、１２との連結が行われるので、縦枠材２の左右のずれを防止できるものである。
【００２１】
また、この第２の実施形態では横枠材３を前記したとおり、前板部３０の上下縁後方に上下板部３２、３３を連設したうえ下板部３３の後端上方に向けて垂直短板部３１を連設し、該垂直短板部３１の内面と下板部３３の内面とにより配線収納部７を形成しているので、格子枠用小パネル５の取付用係止突起５ａが枠材に係合する手段としては図２２、図２３に示すように横枠材３の前板部３０の上下に上下板部３２、３３の後方に向け切欠した鉤孔部３５を設けて、格子枠用小パネル５の上下に各一対設けた前記取付用係止突起５ａを偏平コ字に湾曲させた弾性のあるものとして形成して、湾曲部側から鉤孔部３５に挿入して先端側に設けた係止鉤段部５ｂを鉤孔部３５の前板部３０側の孔縁内面に係合させるものとしている。このように、格子枠用小パネル５が横枠材３に取り付けた状態では取付用係止突起５ａが内側に撓む力がかかるので小パネル材５６の板厚の誤差などがあっても係止部５７が適確に小パネル材５６をとらえガタつくことのないものである。なお、前板部３０の板厚さが異なるものに対応させるため係止鉤段部を図２４に示すように多段に設けることが好ましい。
【００２２】
なお、前記したとおり第１及び第２の実施形態のとおり電気電子機器収納用箱のパネル構造として扉（Ｂ）とすれば、扉は開くことにより背面が露出するので、箱内に内部機器を設置した後においても内部機器に応じで容易に種々の格子枠用小パネルに容易に交換できその利点は多いが、図１に示す側板（Ｃ）に関するものにおいても同様のパネル構造とすることがきる。また、格子枠部４は各別の格子用小パネルによりを閉塞することなく、図１に示す側板（Ｃ）の上下にあるように複数の格子枠部４を閉塞できる格子用小パネルを使用してもよい。
【図面の簡単な説明】
【００２３】
【図１】本発明を利用した電気電子機器収納用箱を示す要部斜視図。
【図２】第１の実施形態の枠構造を例示する裏面斜視図。
【図３】第１の実施形態を示す斜視図。
【図４】第１の実施形態の他例を示す斜視図。
【図５】第１の実施形態の枠材の組み立て手順を説明するための裏面要部斜視図。
【図６】同じく枠材の組み立て手順を説明するための要部裏面斜視図。
【図７】換気ファンを取り付けた第１の実施形態を示す要部裏面斜視図。
【図８】第１の実施形態を示す要部裏面斜視図。
【図９】第２の実施形態を示す斜視図。
【図１０】第２の実施形態の要部を示す斜視図。
【図１１】第２の実施形態の横枠材の断面図。
【図１２】換気ファンを取り付けた第２の実施形態の要部裏面斜視図。
【図１３】小四周枠材と小パネル材よりなる格子枠用小パネルを分解して示す斜視図。
【図１４】図１３の（イ）部の拡大図。
【図１５】小四周枠材と小パネル材よりなる格子枠用小パネルを示す断面図。
【図１６】小四周枠材と小パネル材よりなる格子枠用小パネルを態様を異にして示す断面図。
【図１７】第２の実施形態の枠材の関係を示す要部裏面斜視図。
【図１８】図１７の（ロ）部の拡大図。
【図１９】第２の実施形態の枠材の関係を示す要部裏面斜視図。
【図２０】図１９の（ハ）部の拡大図。
【図２１】第２の実施形態の枠材の関係を示す要部平面図。
【図２２】第２の実施形態の格子枠用小パネルを枠材に取り付けた状態を示す要部裏面斜視図。
【図２３】第２の実施形態の格子枠用小パネルを枠材に取り付けた状態を示す要部断面。
【符号の説明】
【００２４】
１：四周枠材、２：縦枠材、２ａ：小孔、３：横枠材、３４：凹部、３４ａ：小突起、４：格子枠部、５：格子枠用小パネル、５５：四角小枠材、５５ａ：内側段部、５６：小パネル材、５７：係止部、６：換気ファン、７：配線収納部
【図１】
2005159281.tif 000003
【図２】
2005159281.tif 000004
【図３】
2005159281.tif 000005
【図４】
2005159281.tif 000006
【図５】
2005159281.tif 000007
【図６】
2005159281.tif 000008
【図７】
2005159281.tif 000009
【図８】
2005159281.tif 000010
【図９】
2005159281.tif 000011
【図１０】
2005159281.tif 000012
【図１１】
2005159281.tif 000013
【図１２】
2005159281.tif 000014
【図１３】
2005159281.tif 000015
【図１４】
2005159281.tif 000016
【図１５】
2005159281.tif 000017
【図１６】
2005159281.tif 000018
【図１７】
2005159281.tif 000019
【図１８】
2005159281.tif 000020
【図１９】
2005159281.tif 000021
【図２０】
2005159281.tif 000022
【図２１】
2005159281.tif 000023
【図２２】
2005159281.tif 000024
【図２３】
2005159281.tif 000025